(57)【要約】【課題】  エレベータのメインロープおよびコンペンロープが、地震などの振動でシーブ溝から外れた状態或いは、ロープ同士がシーブ上で重なった状態で運転を続けるとロープの切断等によって重大事故に繋がる可能性が高いので、ロープ外れ或いはロープ重なりを誤認識することなく確実に検知して、事故を未然に防止するためのエレベータの安全装置を提供することを目的とする。【解決手段】 エレベータ巻上機のシーブ及び／又はソラセシーブの近傍部に設けられるロープ外れ止め防止装置と、前記ロープ外れ止め防止装置の変位を検知する検出装置とを備え、前記検出装置は前記ロープ外れ止め防止装置の変位を一定時間検知するとエレベータを停止する構成とする。【選択図】        図１
2009203007.tif 000002
【特許請求の範囲】
【請求項１】
エレベータ巻上機のシーブ及び／又はソラセシーブの近傍部に設けられるロープ外れ止め防止装置と、前記ロープ外れ止め防止装置の変位を検知する検出装置とを備え、前記検出装置は前記ロープ外れ止め防止装置の変位を一定時間検知するとエレベータを停止することを特徴とするエレベータの安全装置。
【請求項２】
エレベータ巻上機のシーブ及び／又はソラセシーブの近傍部に設けられるロープ外れ止め防止装置と、前記ロープ外れ止め防止装置の変位を検知する検出装置とを備え、前記検出装置は前記ロープ外れ止め防止装置の変位を一定時間検知するとエレベータを停止させ、その後、前記検出装置が前記ロープ外れ止め防止装置の変位を検知しなくなれば、運転禁止から通常状態に自動復旧することを特徴とするエレベータの安全装置。
【請求項３】
前記ロープ外れ止め防止装置は、上下にスライドするレバー機構を設けたことを特徴とする請求項１又は請求項２に記載のエレベータの安全装置。
【請求項４】
前記ロープ外れ止め防止装置は、回転自在なレバー機構を設けたことを特徴とする請求項１又は請求項２に記載のエレベータの安全装置。
【請求項５】
前記検出装置は、リミットスイッチとしたことを特徴とする請求項１乃至請求項４の何れかに記載のエレベータの安全装置。
【発明の詳細な説明】
【技術分野】
【０００１】
本発明は、エレベータのロープが地震などの振動でシーブ溝より外れたり、ロープ同士がシーブ上で重なったりすることにより引き起こされる事故を未然に防止するためのエレベータの安全装置に関するものである。
【背景技術】
【０００２】
従来のエレベータ装置においては、地震などの振動でエレベータのロープがシーブ溝より外れたり、ロープ同士がシーブ上で重なったりすることがあり、そのような状態でエレベータを運転すると、ロープの早期摩耗やロープの破断などを引き起こして重大事故に繋がる可能性があった。
【０００３】
このため、エレベータの各種ロープが巻掛けされる並行した複数の溝車のロープ進入口部分にロープ外れ止め部材を設け、このロープ外れ止め部材に上記並列した溝車の各ロープ溝と対向し円弧状態を形成したエレベータ用ロープ外れ止め装置（特許文献１）或いは、エレベータ巻上機の綱車及びそらせ車の近傍部にロープ外れ止め装置を設け、ロープ外れ止め装置の変位を検出してエレベータを停止させる構成としたものがある（特許文献２）。
【特許文献１】実公平０３−００８６９５号公報
【特許文献２】特開２００１−１６３５４１号公報
【発明の開示】
【発明が解決しようとする課題】
【０００４】
しかし、上記特許文献１に記載の発明では、ロープ外れ止め部材を全ての場合において、十分な剛性を保証することは装置が大型化するなど、実用的ではない場合が多かった。また、上記特許文献２に記載の発明では、エレベータの運転中にロープの踊りによって、一時的にロープがシーブ溝から浮き上がった場合であっても、ロープ外れ止め装置が変位を検知して不要にエレベータを停止してしまう問題があった。
【０００５】
本発明は、上記事情に鑑みてなされたもので、エレベータのロープ外れ止め部材の過剰な剛性を不要とすることで小型化ができ、また、不要にエレベータを停止することなく、エレベータのメインロープ或いはコンペンロープが地震などの振動でシーブ溝から外れた状態或いはロープ同士がシーブ上で重なった状態を確実に検知し、ロープの早期摩耗や破断などによる重大事故を未然に防止するエレベータの安全装置を提供することにある。
【課題を解決するための手段】
【０００６】
本発明のエレベータの安全装置は、エレベータ巻上機のシーブ及び／又はソラセシーブの近傍部に設けられるロープ外れ止め防止装置と、前記ロープ外れ止め防止装置の変位を検知する検出装置とを備え、前記検出装置は前記ロープ外れ止め防止装置の変位を一定時間検知するとエレベータを停止することを特徴としている。
【発明の効果】
【０００７】
本発明によれば、エレベータ巻上機のシーブ及び／又はソラセシーブの近傍部に設けられるロープ外れ止め防止装置の変位を検知する検出装置が、エレベータの運転中にロープ外れ止め防止装置の変位を一定時間検知するとエレベータを停止するようにしているので、エレベータの運転中にロープの踊りなどによって、一時的にロープがシーブ溝から浮き上がったとしても、前記検出装置がロープ外れ止め防止装置の変位を一定時間検知するほどには到っていないから不要にエレベータを停止することはない。従って、エレベータの乗客に不審感や不安感を与えることなく、ロープがシーブ溝から外れた状態或いはロープ同士がシーブ上で重なった状態であると誤検出することもないからエレベータを円滑かつ効率よく利用することが出来る。また、エレベータの運転中にロープがシーブ溝から外れた状態或いはロープ同士がシーブ上で重なった状態を一定時間内に検出するので、ロープの早期摩耗や破断などによる重大事故を未然に防止することが可能である。
【発明を実施するための最良の形態】
【０００８】
以下、本発明の実施例について図面を用いて説明する。
【０００９】
図１は本発明の実施の形態１におけるエレベータの安全装置の構成図であり、１はエレベータのシーブ、２はメインロープ、１０はロープ外れ止め防止装置、１０ａはフレーム、１０ｂはレバー、１０ｃはバネ、１２はロープ外れ止め防止装置の変位検出装置である。ロープ外れ止め防止装置１０はシーブ１に隣接するフレーム１０ａと上下にスライドするレバー１０ｂとバネ１０ｃから構成され、レバー１０ｂはロープ外れ止め防止機能を有し、バネ１０ｃは通常時（安全装置が機能していない状態）のフレーム１０ａとレバー１０ｂの距離を一定に保っている。
【００１０】
実施の形態１によると、ロープの踊りなどで一時的にメインロープ２がシーブ１溝から浮き上がって、ロープ外れ止め防止装置１０のレバー１０ｂを上方向に押し上げても、すぐにメインロープ２がシーブ１溝に戻るので、レバー１０ｂもバネ１０ｃの反作用によって下方向に押し下げられて元の位置に戻る。従って、ロープの踊りなどによっては、ロープ外れ止め防止装置１０の変位を変位検出装置１２が一定時間検知することに満たないので、エレベータを不要に停止することはない。
【００１１】
しかし、地震などの振動によってメインロープ２がシーブ１溝から外れると、メインロープ２によってロープ外れ止め防止装置１０のレバー１０ｂが上方向に押し上げられた状態になり、ロープ外れ止め防止装置１０の変位を変位検出装置１２が一定時間検知するので、エレベータを停止或いは運転禁止にする。
【００１２】
次に、図２は、実施の形態１によるエレベータの安全装置の処理動作を説明するフローチャートである。
例えば、通常の地震発生によって、エレベータのロープ外れ止め防止装置１０の変位を検知する変位検出装置１２がロープ外れ止め防止装置１０の変位を検知すると（ステップＳ１）、エレベータの運転状況を判断し（ステップＳ２）、エレベータが停止状態であればエレベータを運転禁止にする（ステップＳ５）。一方、エレベータが運転状態で前記変位検出装置１２がロープ外れ止め防止装置１０の変位を一定時間検知すると（ステップＳ３）、エレベータを非常停止後、エレベータを最寄り階に停止して乗客を降車し（ステップＳ４）、エレベータを運転禁止にする（ステップＳ５）。エレベータの運転禁止後も前記変位検出装置１２は作動し（ステップＳ６）、前記変位検出装置１２がエレベータのロープ外れ止め防止装置１０の変位を検知しなくなれば、エレベータを通常運転に自動復旧する（ステップＳ７）。
以上により、本発明によれば、前記変位検出装置１２がロープの踊りなどによる一時的な浮き上がりとロープ外れの状態を誤認識することはなく、本当に危険な場合にエレベータを停止してロープの早期摩耗や破断などによる重大事故を未然に防止することが出来る。
また、本発明によれば、地震の振動などでエレベータのロープがシーブ溝で上下するだけであっても、前記変位検出装置１２がロープ外れ止め防止装置１０の変位を一定時間検知すれば、エレベータを運転禁止にする。しかし、振動停止後に前記変位検出装置１２がロープ外れ止め防止装置１０の変位を検知しなくなれば、安全な状態（ロープがシーブ溝から外れていない或いはロープ同士が重なっていない）であると判断して、エレベータを運転禁止から通常運転に自動復旧するようにしたので、不要にエレベータを運転禁止にすることもなくエレベータを円滑かつ効率よく利用することが出来る。
【００１３】
図３は本発明の実施の形態２におけるエレベータの安全装置の構成図であり、１はエレベータのシーブ、２はメインロープ、１１はロープ外れ止め防止装置、１１ａはフレーム、１１ｂはレバー、１１ｃは回転軸、１２はロープ外れ止め防止装置の変位検出装置である。ロープ外れ止め防止装置１１はシーブ１に隣接するフレーム１１ａと回転自在なレバー１１ｂと回転軸１１ｃから構成され、レバー１１ｂはロープ外れ止め防止機能を有し、回転軸１１ｃは通常時（安全装置が機能していない状態）のフレーム１１ａとレバー１１ｂを垂直に固定している。
【００１４】
実施の形態２によると、ロープの踊りなどで一時的にメインロープ２がシーブ１溝から浮き上がって、ロープ外れ止め防止装置１１のレバー１１ｂを上方向に押し上げても、すぐにメインロープ２がシーブ１溝に戻るので、レバー１１ｂも回転軸１１ｃを基点にして自重によって下方向に押し下げられて元の位置に戻る。従って、ロープの踊りなどによっては、ロープ外れ止め防止装置１１の変位を変位検出装置１２が一定時間検知することに満たないので、エレベータを不要に停止することはない。
【００１５】
しかし、地震などの振動によってメインロープ２がシーブ１溝から外れると、メインロープ２によってロープ外れ止め防止装置１１のレバー１１ｂが上方向に押し上げられた状態になり、ロープ外れ止め防止装置１１の変位を変位検出装置１２が一定時間検知するので、エレベータを停止或いは運転禁止にする。
【００１６】
尚、本発明は、通常の地震発生時のみでなく、通常運転時で、例えば高層ビルで、風揺れの影響や遠隔地での地震に寄る長周期地震動によるロープの異常振動で引き起こされるロープ外れ或いは、ロープ同士の重なりによる異常事態の検知も可能であることは言うまでもないことである。
その他、本発明は上記の実施例に限定されるものではなく、本発明の要旨を逸脱しない範囲で、種々の改変を施すことができる。
【図面の簡単な説明】
【００１７】
【図１】本発明の実施の形態１におけるエレベータの安全装置の構成図である。
【図２】本発明の実施の形態１におけるエレベータの安全装置の動作を示すフローチャート図である。
【図３】本発明の実施の形態２におけるエレベータの安全装置の構成図である。
【符号の説明】
【００１８】
１  シーブ
２  メインロープ
１０  ロープ外れ止め防止装置
１０ａ  フレーム
１０ｂ  レバー
１０ｃ  バネ
１１  ロープ外れ止め防止装置
１１ａ  フレーム
１１ｂ  レバー
１１ｃ  回転軸
１２  変位検出装置
【図１】
2009203007.tif 000003
【図２】
2009203007.tif 000004
【図３】
2009203007.tif 000005